(57)【要約】【課題】コーヒー液を円滑に注出し、コーヒー残留物の掃除を容易にしたコーヒーマシン用コーヒー注出装置を提供する。【解決手段】コーヒーマシンのケース（１０）と、コーヒー粉末が投入されるホッパー（１２０）と、ホッパー（１２０）の下部で所定角度回動し、シリンダ（１５１）を有するシリンダ部（１５０）と、回動及び昇降によりシリンダ部（１５１）に挿入及び抜出され、内部に温水流路が形成された上部ピストン部（１３０）と、上部ピストン部（１３０）に対して圧縮して生成したコーヒー液を排出するため、コーヒー排出流路（１４２）が形成された下部ピストン（１４０）と、シリンダ部（１５０）、上部ピストン部（１３０）及び下部ピストン（１４２）の運動を案内するカム部材（２１０、２２０）及びリンク部材（２３０、２４０、２５０）と、カム部材（２１０、２２０）に動力を供給するため、コーヒーマシンの本体に装着される駆動装置（３１０）とを含む。【選択図】  図２
2004275712.tif 000002
【特許請求の範囲】
【請求項１】
コーヒー粉末を収納するシリンダを有するシリンダ部と、
前記シリンダ側に温水を供給する温水部が設けられた上部ピストン部と、
前記シリンダ内で昇降し、コーヒー粉末と温水とが混合して生成されたコーヒー液を排出する排出部を有する下部ピストンとを含んでなることを特徴とするコーヒーマシン用コーヒー注出装置。
【請求項２】
前記コーヒー注出装置は、さらに、
コーヒーマシンの本体に着脱可能に装着されるケースに設けられ、コーヒー粉末が投入されるホッパーと、
前記シリンダ部、前記上部ピストン部及び前記下部ピストンの運動を案内するカム部材及びリンク部材と、
前記コーヒーマシンの本体に設けられ、前記カム部材に動力を供給する駆動装置とを含み、
前記シリンダ部は前記ホッパーの下部で所定角度回動し、
前記上部ピストン部は前記シリンダ部材の上部で回動及び昇降することを特徴とする請求項１記載のコーヒーマシン用コーヒー注出装置。
【請求項３】
前記カム部材は、前記駆動装置に回転可能に連結される第１のカム部材と、前記第１のカム部材に同心状に連結され、前記第１のカム部材とともに回転する第２のカム部材とを含み、
前記リンク部材は、前記第１のカム部材と前記上部ピストン部との間に設けられ、前記上部ピストン部の運動を案内する第１のリンク部材と、前記第２のカム部材と前記下部ピストンとの間に設けられ、前記下部ピストンの運動を案内する第２のリンク部材と、前記第２のカム部材と前記シリンダ部との間に設けられ、前記シリンダ部の運動を案内する第３のリンク部材とを含むことを特徴とする請求項２記載のコーヒーマシン用コーヒー注出装置。
【請求項４】
前記上部ピストン部の両側には、互いに対称の形状をなす一対の第１の案内ピンと、前記第１の案内ピンから上方に所定距離だけ離隔する互いに対称の形状をなす一対の第２の案内ピンとが設けられ、
前記ケースには、前記第１の案内ピンを案内する第１の案内孔と、前記第２の案内ピンを案内する第２の案内孔とが形成され、
前記第１のリンク部材には、前記第１のカム部材に軸支される第１のヒンジ部と、前記第１の案内ピンのなかで、前記第１のリンク部材側の第１の案内ピンに軸支される第２ヒンジ部とが設けられることを特徴とする請求項３記載のコーヒーマシン用コーヒー注出装置。
【請求項５】
前記第１のカム部材の外側には前記第１のヒンジ部に連結される回転突起が突設され、
さらに、前記駆動装置から回転力を伝達するため、一端が駆動装置に連結され、他端が前記回転突起に連結される伝動部材を含むことを特徴とする請求項４記載のコーヒーマシン用コーヒー注出装置。
【請求項６】
前記第２のカム部材の一の面には前記第２のリンク部材の動作を案内する第１の案内路が設けられ、
前記第２のリンク部材は、前記ケースに軸支される第３のヒンジ部と、前記下部ピストンに軸支される第４のヒンジ部と、前記第２のリンク部材を運動させるため、前記第１の案内路に沿って移動する第１の案内突起とを含むことを特徴とする請求項３記載のコーヒーマシン用コーヒー注出装置。
【請求項７】
前記下部ピストンは下端が開口され、前記開口部の内側面には、前記シリンダ部の下端を貫通するコネクティングロッドが取り付けられ、前記コネクティングロッドの下端部には前記第４のヒンジ部が軸支されることを特徴とする請求項６記載のコーヒーマシン用コーヒー注出装置。
【請求項８】
前記シリンダ部の貫通部の周囲は、垂直方向に延長されて前記コネクティングロッドを案内することを特徴とする請求項７記載のコーヒーマシン用コーヒー注出装置。
【請求項９】
前記シリンダ部材には所定の長さの第３の案内ピンが設けられ、
前記ケースには前記第３の案内ピンを案内する第３の案内孔が形成され、
前記第２のカム部材の外側面には前記第３のリンク部材の動作を案内する第２の案内路が設けられ、
前記第３のリンク部材は、前記ケースに軸支される第５のヒンジ部と、前記第３の案内ピンに軸支される第６ヒンジ部と、前記第３のリンク部材を運動させるため、前記第２の案内路に沿って移動する第２の案内突起とを含むことを特徴とする請求項３記載のコーヒーマシン用コーヒー注出装置。
【請求項１０】
前記温水部は、前記上部ピストン部に設けられた温水供給流路を含むことを特徴とする請求項２記載のコーヒーマシン用コーヒー注出装置。
【請求項１１】
前記温水部は、前記温水供給流路を通過した温水を前記シリンダ部側に吐出する多数の温水吐出流路を含むことを特徴とする請求項１０記載のコーヒーマシン用コーヒー注出装置。
【請求項１２】
前記温水吐出流路は、温水を放射状に吐出するため、前記上部ピストン部の半径方向に向かって傾斜して形成されていることを特徴とする請求項１１記載のコーヒーマシン用コーヒー注出装置。
【請求項１３】
前記下部ピストンに対向する前記上部ピストン部の端部には、温水を通過させながらコーヒー残留物の通過を阻止する多数の微細孔を有する第１のフィルタが設けられることを特徴とする請求項２記載のコーヒーマシン用コーヒー注出装置。
【請求項１４】
前記上部ピストン部に対向する前記下部ピストンの端部には、コーヒー残留物を捕捉しながらコーヒー液を通過させる多数の微細孔を有する第２のフィルタが設けられることを特徴とする請求項２記載のコーヒーマシン用コーヒー注出装置。
【請求項１５】
前記排出部は、前記下部ピストンに形成されるコーヒー排出流路と、前記コーヒー排出流路に連通して、コーヒー液を外部へ吐出するため、前記シリンダ部に設けられたコーヒー吐出管とを含むことを特徴とする請求項２記載のコーヒーマシン用コーヒー注出装置。
【請求項１６】
前記コーヒー排出流路は、前記下部ピストンの外周面に長手方向に形成された溝からなることを特徴とする請求項１５に記載のコーヒーマシン用コーヒー注出装置。
【発明の詳細な説明】
【０００１】
【発明の属する技術分野】
本発明は、コーヒー注出装置に係り、より詳しくはコーヒーマシンに容易に着脱可能にモジュール化したコーヒー注出装置に関する。
【０００２】
【従来の技術】
通常、コーヒーマシンには、コーヒー粉末と水とが供給されて最終のコーヒー液を注出させるコーヒー注出部が内蔵される。かかるコーヒー注出部を独立させてモジュール化することにより装置本体に着脱可能としたコーヒー注出装置を構成することにより、コーヒー注出装置及びコーヒーマシンの内部の掃除を容易にし、コーヒー注出装置の故障の際、分離して簡便に修理することが可能となる。
【０００３】
このようにモジュール化したコーヒー注出装置を備えたコーヒーマシンとして、米国特許第４，６８１，０２８号明細書に開示されたものがある。
【０００４】
この明細書に開示されたコーヒーマシンは、コーヒー粉末を供給する供給装置と、温水を供給する温水供給装置と、温水をコーヒー粉末に供給し、コーヒー液からコーヒー残留物を分離させた後、コーヒー液を注出するコーヒー注出装置とからなる。
【０００５】
コーヒー注出装置は、コーヒー粉末が投入されるホッパーと、コーヒー粉末を収納し、ホッパーの下部に設けられる可動シリンダと、この可動シリンダ内で進退し、上部に多数の小孔が形成されたピストンと、モータのような駆動源からの駆動力を受けて可動シリンダ及びピストンを駆動させるリンク手段と、コーヒー液を注出するため、下端部に濾過部材が設けられた注出ヘッドとを含んで、駆動源の１回転によりコーヒー液を注出することができる。
【０００６】
このコーヒー注出装置において、ホッパーに投入されたコーヒー粉末は可動シリンダ内のピストンの上部に供給される。ここで、駆動装置を駆動すると、リンク手段を介して駆動装置に連結された可動シリンダがホッパーの下部から注出ヘッドの下部に旋回する。続いて、可動シリンダが注出ヘッド側に所定距離だけ上昇するにしたがって、注出ヘッドの下部が可動シリンダ内に挿入される。その後、ピストンが上昇して可動シリンダ内のコーヒー粉末を加圧する。
【０００７】
この際、温水供給装置から所定の圧力で温水が可動シリンダの下部に供給される。温水は、ピストンの小孔を通過してコーヒー粉末と混合される。温水と混合されたコーヒー液は、注出ヘッドの下端の濾過部材に形成された微細孔を通過した後、注出ヘッドの一側に形成された排出通路を通じて最終的に外部に排出される。
【０００８】
一方、ピストンの上面に残存するコーヒー残留物は、リンク手段の運動により可動シリンダが初期位置に復帰するにつれてホッパーの下端により掻き出されて除去される。
【０００９】
【特許文献１】
米国特許第４，６８１，０２８号明細書
【００１０】
【発明が解決しようとする課題】
上述した従来のコーヒー注出装置は、コーヒー粉末と混合される温水が相対的に下側に位置する可動シリンダ側からその上部に位置する注出ヘッド側に噴射される構造を有するので、コーヒー残留物が注出ヘッドの濾過部材に相当量残存することになる。かかるコーヒー残留物は濾過部材の微細孔を埋めてしまうため、コーヒー液が円滑に注出できない問題点がある。
【００１１】
また、濾過部材に付着しているコーヒー残留物を除去するためには、使用者が直接残留物を除去しなければならないので、その管理が困難となってしまう問題点がある。
【００１２】
本発明は、上述したような問題点を解決するために提案されれたもので、その目的は、コーヒーマシンに用いられるコーヒー注出装置の構造を改善し、コーヒー液を円滑に注出し、コーヒー残留物の除去を容易に行うことができるコーヒーマシン用コーヒー注出装置を提供することにある。
【００１３】
【課題を解決するための手段】
上述した目的を達成するために提案される本発明に係るコーヒー注出装置は、コーヒー粉末を収納するシリンダを有するシリンダ部と、シリンダ側に温水を供給するための温水部が設けられた上部ピストン部と、シリンダ内で昇降し、コーヒー粉末と温水とが混合して生成されたコーヒー液を排出する排出部を有する下部ピストンとを含んでいる。
【００１４】
本発明に係るコーヒー注出装置は、コーヒーマシンの本体に着脱可能に装着されるケースに設けられ、コーヒー粉末が投入されるホッパーと、シリンダ部、上部ピストン部及び下部ピストンの運動を案内するカム部材及びリンク部材と、コーヒーマシンの本体に取り付けられ、カム部材を駆動させる駆動装置とをさらに含み、シリンダ部がホッパーの下部で所定角度回動し、上部ピストン部がシリンダ部材の上部で回動及び昇降する。
【００１５】
カム部材は、駆動装置に回転可能に連結される第１のカム部材と、第１のカム部材に同心状に連結され、第１のカム部材とともに回転する第２のカム部材とを含み、リンク部材は、第１のカム部材と上部ピストン部との間に設けられ、上部ピストン部の運動を案内する第１のリンク部材と、第２のカム部材と下部ピストンとの間に設けられ、下部ピストンの運動を案内する第２のリンク部材と、第２のカム部材とシリンダ部との間に設けられ、シリンダ部の運動を案内する第３のリンク部材とを含むことができる。
【００１６】
上部ピストン部の両側には、互いに対称の形状を有する一対の第１の案内ピンと、第１の案内ピンから上方に所定距離だけ離隔する互いに対称の形状の一対の第２の案内ピンとが設けられ、ケースには、第１の案内ピンを案内する第１の案内孔と、第２の案内ピンを案内する第２の案内孔とが形成され、第１のリンク部材には、第１のカム部材に軸支される第１のヒンジ部と、第１の案内ピンのなかで、第１のリンク部材側の第１の案内ピンに軸支される第２ヒンジ部とが設けられる。
【００１７】
第１のカム部材の外側には第１のヒンジ部に連結される回転突起が突設され、コーヒー注出装置は、駆動装置から回転力を伝達するため、一端が駆動装置に連結され、他端が回転突起に連結される伝動部材をさらに含むことができる。
【００１８】
第２のカム部材の内側面には第２のリンク部材の動作を案内する第１の案内路が設けられ、第２のリンク部材は、ケースに軸支される第３のヒンジ部と、下部ピストンに軸支される第４のヒンジ部と、第２のリンク部材を運動させるため、第１の案内路に沿って移動する第１の案内突起とを含むことができる。
【００１９】
下部ピストンは下端が開口され、開口部の内側面には、シリンダ部の下端を貫通するコネクティングロッドが取り付けられ、コネクティングロッドの下端部には第４のヒンジ部が軸支される。
【００２０】
シリンダ部の貫通部の周囲は、垂直方向に延長されてコネクティングロッドを案内することができる。
【００２１】
シリンダ部材には所定の長さの第３の案内ピンが設けられ、ケースには第３の案内ピンを案内する第３の案内孔が形成され、第２のカム部材の外側面には第３のリンク部材の動作を案内する第２の案内路が設けられ、第３のリンク部材は、ケースに軸支される第５のヒンジ部と、第３の案内ピンに軸支される第６ヒンジ部と、第３のリンク部材を運動させるため、第２の案内路に沿って移動する第２の案内突起とを含むことができる。
【００２２】
温水部は、上部ピストン部に設けられた温水供給流路を含むことができる。
【００２３】
温水部は、温水供給流路を通過した温水をシリンダ部側に吐出する多数の温水吐出流路を含むことができる。
【００２４】
温水吐出流路は、温水を放射状に吐出するため、上部ピストン部の半径方向に向かって傾斜して形成されることができる。
【００２５】
下部ピストンに対向する上部ピストン部の端部には、温水を通過させながらコーヒー残留物の通過を阻止する多数の微細孔を有する第１のフィルタが設けられることができる。
【００２６】
上部ピストン部に対向する下部ピストンの端部には、コーヒー残留物は捕捉するがコーヒー液は通過させる多数の微細孔を有する第２のフィルタを設けることができる。
【００２７】
排出部は、下部ピストンに形成されるコーヒー排出流路と、コーヒー排出流路に連通して、コーヒー液を外部へ吐出するため、シリンダ部に設けられたコーヒー吐出管とを含むことができる。
【００２８】
コーヒー排出流路は、下部ピストンの外周面に長手方向に形成された溝により構成することができる。
【００２９】
【発明の実施の形態】
以下、本発明の好ましい実施例を図面を参照して詳細に説明する。
【００３０】
図１に示すように、本発明に係るコーヒーマシンは、本体（図示せず）の内部に設けられ、コーヒー粉末を収容するコーヒー貯蔵部２０と、温水を貯蔵する温水供給部３０と、コーヒー粉末と温水を混合してコーヒー液を注出するコーヒー注出装置１０と、コーヒー貯蔵部２０内のコーヒー粉末をコーヒー注出装置１０に供給するコーヒー供給管４０と、温水供給部３０内の温水をコーヒー注出装置１０に供給する温水供給管５０とを含む。
【００３１】
温水供給部３０は、その内部の温水を一定温度に維持するため、ヒーターのような加熱要素が設けられる。
【００３２】
次に、図２及び図３に基づいてコーヒー注出装置１０の構成を詳細に説明する。
【００３３】
コーヒー注出装置１０は、外筐を構成するケース１１０と、コーヒー粉末が投入されるホッパー１２０と、開口した上部に、コーヒー粉末が投入されるシリンダ１５１が設けられたシリンダ部１５０と、シリンダ１５１内に進入し且つ退出する上部ピストン部１３０と、シリンダ１５１内で昇降する下部ピストン１４０と、シリンダ部１５０、上部ピストン部１３０及び下部ピストン１４０の運動を案内するカム部材２１０、２２０及びリンク部材２３０、２４０、２５０と、カム部材２１０、２２０を駆動する駆動装置３１０とを含む。
【００３４】
ケース１１０の上部には一対の第１の案内孔１１１及び第２の案内孔１１２が形成される。一対の第１及び第２の案内孔１１１、１１２は、ケース１１０の両側に互いに対称の形状に形成され、上部ピストン部１３０の諸動作を制御する。第１の案内孔１１１は、図２及び図３に示すように、上方に延長された後、前方に傾いてから所定距離だけ延長され、第２の案内孔１１２は、図２及び図３に示すように、上方に延長された後、後方に傾いてから所定距離だけ延長される。ケース１１０の一側面には第３の案内孔１１３が形成されるが、この第３の案内孔１１３はシリンダ部１５０の諸動作を制御する。
【００３５】
ホッパー１２０は、コーヒー供給管４０（図１参照。）から吐出されるコーヒー粉末をシリンダ１５１に効果的に案内するため、上部側を幅広とし、下部に向かって徐々に幅狭となる形状とされ、下端部には、コーヒー液を注出した後、残存するコーヒー残留物を除去するための除去部材１２１が設けられる。
【００３６】
上部ピストン部１３０は、その相対向する両側面に、互いに対称な形状を有し、ケース１１０の第１の案内孔１１１に沿って移動する一対の第１の案内ピン１３１が設けられる。上部ピストン部１３０には、さらに相対向する両側面に、互いに対称な形状を有し、ケース１１０の第２の案内孔１１２に沿って移動する一対の第２の案内ピン１３２が設けられる。これら第２の案内ピン１３２は、第１の案内ピン１３１から上方に所定距離だけ離隔した位置に設けられている。そして、上部ピストン部１３０の内部には、温水をシリンダ１５１に案内するため、温水供給管５０（図１参照。）に連通する温水部１３４が設けられる。
【００３７】
シリンダ部１５０はシリンダ１５１を有するもので、ケース１１０に回動可能に結合される。シリンダ部１５０の下側後端には第３の案内ピン１５２が設けられる。この第３の案内ピン１５２はケース１１０の第３の案内孔１１３により案内されるので、シリンダ部１５０が所定角度の範囲内で回動することになる。
【００３８】
下部ピストン１４０は下端の開放された円筒状を有し、その開口部を通じてコネクティングロッド１４１が挿入され下部ピストン１４０の内面に固定されている。このコネクティングロッド１４１は、シリンダ１５１の下面を貫通する。コネクティングロッド１４１の下端部は後述する第２のリンク部材２４０に軸支され、下部ピストン１４０の動作を制御する。下部ピストン１４０には、コーヒー粉末と温水の混合により生成されたコーヒー液が流動するコーヒー排出流路１４２が形成される。
【００３９】
駆動装置３１０はカム部材２１０、２２０に回転力を供給するもので、コーヒーマシンの本体（図示せず）の内部に取り付けられる。この駆動装置３１０は、電源が供給されて回転する回転軸３１１と、回転軸３１１の端部に設けられるピニオン３１２とを含む。
【００４０】
第１のカム部材２１０は所定の厚さを有する円盤状のもので、その中心部に一方の側に突出するようにして筒部２１０ａが形成されている。第１のカム部材２１０は、筒部２１０ａを一方のケース１１０の外側面に設けた軸部に挿通してこのケース１１１に回転可能に支持されている。第１のカム部材２１０の他方の面側の外縁部には、所定の長さの回転突起２１１が突設される。第１のカム部材２１０は、伝動部材３２０を介して駆動装置３１０に連結される。この伝動部材３２０は、第１のカム部材２１０の回転突起２１１を収容して保持する半円形の凹部を有する保持部３２１と、駆動装置３１０のピニオン３１２と噛み合うピニオン噛合部３２２とを含む。
【００４１】
第２のカム部材２２０は、その中心部に一方の側に突出するようにして形成した図示しない筒部を他方のケース１１０の内側面に設けた軸部１１０ｂに挿通してこのケース１１１に回転可能に支持されている。第２のカム部材２２０の他方の面である内側面には、後述する第２のリンク部材２４０の運動を案内する第１の案内路２２１が設けられる。
【００４２】
第１〜第３のリンク部材２３０、２４０、２５０のうち、第１のリンク部材２３０は上部ピストン部１３０の運動を案内し、第２のリンク部材２４０は下部ピストン１４０の運動を案内し、第３のリンク部材２５０はシリンダ部１５０の運動を案内する。
【００４３】
第１のリンク部材２３０は、両端部に第１のヒンジ部２３１と第２ヒンジ部２３２がそれぞれ設けられる。第１のヒンジ部２３１は第１のカム部材２１０の回転突起２１１に軸支され、第２ヒンジ部２３２は上部ピストン部１３０の第１の案内ピン１３１に軸支される。
【００４４】
第２のリンク部材２４０は、所定の厚さを有する三角板状のもので、各頂点には、ケース１１０に軸支される第３のヒンジ部２４１と、下部ピストン１４０のコネクティングロッド１４１の下端部に軸支される第４のヒンジ部２４２と、所定の長さの第１の案内突起２４３とが設けられる。第１の案内突起２４３は、第２のカム部材２２０の第１の案内路２２１により案内される。
【００４５】
図３及び図４に示すように、第３のリンク部材２５０の両端部には、ケース１１０に軸支される第５のヒンジ部２５１と、シリンダ部１５０の第３の案内ピン１５２に軸支される第６のヒンジ部２５２が設けられる。第５のヒンジ部２５１と第６のヒンジ部２５２の中間地点には内側に所定の長さの第２の案内突起２５３が突設される。この第２の案内突起２５３は、第２のカム部材２２０の外側面に設けられた第２の案内路２２２により案内される。
【００４６】
次に、図５を参照して上部ピストン部１３０の内部構造をより詳細に説明する。
【００４７】
上部ピストン部１３０の内部には温水部１３４が設けられる。この温水部１３４は、温水が通過する流路形態の温水供給流路１３５と、温水を吐出する温水吐出流路１３６とを含む。
【００４８】
温水供給流路１３５はその下端部が拡径されており、この拡径された部分に連通して多数の温水吐出流路１３６が設けられる。温水吐出流路１３６はシリンダ１５１側に温水を吐出するように形成されるが、温水を放射状に吐出するため、上部ピストン部１３０の半径方向に向かって所定角度傾斜するように形成されている。ここでは、具体的に、内周側から外周側に向かって所定角度傾斜して形成されている。
【００４９】
上部ピストン部１３０の端部には、温水吐出流路１３６を覆うように、多数の微細孔を有する第１のフィルタ１３７が設けられている。この第１のフィルタ１３７は、温水を通過させながら、コーヒー残留物が上部ピストン部１３０に流入することを防止する機能を有する。
【００５０】
また、上部ピストン部１３０の下端部の外周面には環状溝が形成され、この環状溝に気密用シール部材１３８が嵌合されている。このような構造により、温水供給流路１３５を通過した温水は温水吐出流路１３６を経由し第１のフィルタ１３７を通じて吐き出される。
【００５１】
次に、図６を参照して下部ピストン１４０の内部構造を詳細に説明する。
下部ピストン１４０の上部ではコーヒー粉末と温水が混合されてコーヒー液が生成される。下部ピストン１４０の上端には、コーヒー残留物を捕捉しコーヒー液のみが通過するように多数の微細孔が形成された第２のフィルタ１４３が設けられ、シリンダ部１５１の内面と下部ピストン１４０の外面との間には気密用シール部材１４４が設けられる。
【００５２】
第２のフィルタ１４３を通過したコーヒー液は、下部ピストン１４０内部のコーヒー排出流路１４２に供給される。このコーヒー排出流路１４２は、下部ピストン１４０の外周面に上端から下方に向かって溝を形成して構成されてなるものである。
【００５３】
また、コーヒー排出流路１４２はシリンダ部１５０の下部に設けられたコーヒー吐出管１５３とともに排出部を構成し、コーヒー排出流路１４２を通過したコーヒー液はコーヒー吐出管１５３を介して装置外部に吐出される。
【００５４】
下部ピストン１４０に結合されたコネクティングロッド１４１の揺れを防止するため、シリンダ部材１５０の下端部にはロッド案内部材１５４が設けられる。このロッド案内部材１５４の中心には、コネクティングロッド１４１を案内するため、上方に延長部１５５が設けられる。コネクティングロッド１４１の外面と延長部１５５の内面との間には気密用シール部材１５６が設けられる。
【００５５】
以下、前述した本発明に係るコーヒー注出装置１０の動作及び作用を説明する。
【００５６】
図３は、本発明に係るコーヒー注出装置１０の初期位置を示すものである。この状態でホッパー１２０にコーヒー粉末が投入される。ホッパー１２０に投入されたコーヒー粉末は、ホッパー１２０の下部からシリンダ部１５１に供給され下部ピストン１４０の上面に載置される。
【００５７】
次いで、図７に示すように、第１のカム部材２１０が反時計方向におよそ６０°回転するとともに、第１のカム部材２１０に軸支された第１のリンク部材２３０が回転し、第１のリンク部材２３０に軸支された上部ピストン部１３０がケース１１０の第１の案内孔１１１と第２の案内孔１１２により案内されながら所定距離下降するとともに後方に移動する。
【００５８】
同時に、第２のカム部材２２０も反時計方向におよそ６０°回転し、第２のカム部材２２０の回転により、第２のカム部材２２０の第２の案内路２２２（図４参照。）により案内される第３のリンク部材２５０が前方側に回動し、第３のリンク部材２５０に軸支されたシリンダ部１５０がケース１１０の第３の案内孔１１３により案内されて前方に所定距離回動する。したがって、上部ピストン部１３０とシリンダ部１５１が対向配置される。
【００５９】
次いで、図８に示すように、第１のカム部材２１０が反時計方向におよそ１００°さらに回転すると、第１のカム部材２１０に軸支された第１のリンク部材２３０の回転により、第１のリンク部材２３０に軸支された上部ピストン部１３０が所定距離下降してシリンダ部１５１の内部に挿入される。したがって、上部ピストン部１３０が下部ピストン１４０の上面に載置されたコーヒー粉末を圧縮するとともに、上部ピストン部１３０から吐出された温水と混合されたコーヒー液が下部ピストン１４０のコーヒー排出流路１４２及びシリンダ部１５０のコーヒー吐出管１５３を順次通過して外部へ吐出される。
【００６０】
次いで、図９に示すように、第１のカム部材２１０が反時計方向にさらに１００°回転すると、第１のカム部材２１０に軸支された第１のリンク部材２３０の回転により、第１のリンク部材２３０に軸支された上部ピストン部１３０が上昇しながら前方に所定距離回動する。
【００６１】
その後、図１０に示すように、第１のカム部材２１０が反時計方向にさらに２０°回転すると、第２のカム部材２２０も反時計方向にさらに２０°回転し、第２のカム部材２２０の回転により、第２のカム部材２２０の第２の案内路２２２（図４参照。）により案内される第３のリンク部材２５０が後方に回動し、第３のリンク部材２５０に軸支されたシリンダ部材１５０が後方に回動する。
【００６２】
この際、下部ピストン１４０は上昇した状態であるので、シリンダ部１５０が回動するにつれて、ホッパー１２０の下端に設けられた除去部材１２１により、下部ピストン１４０の上面に残存するコーヒー残留物が除去される。
【００６３】
その後、第１のカム部材２１０が反時計方向にさらに８０°回転すると、第２のカム部材２２０も反時計方向にさらに８０°回転し、第２のカム部材２２０の第１の案内路２２１により案内される第２のリンク部材２４０が下降し、第２のリンク部材２４０に軸支された下部ピストン１４０が下降して、図３に示すような初期位置に復帰する。このように、第１のカム部材２１０が反時計方向に３６０°回転する都度、１回分のコーヒー液が注出される。
【００６４】
【発明の効果】
以上説明したように、本発明に係るコーヒーマシン用コーヒー注出装置は、駆動装置の回転軸が１回転したとき、カム部材及びリンク部材の運動により１回分のコーヒー液を注出する。本発明に係るコーヒー注出装置は、コーヒーマシン本体の内部に着脱可能にモジュール化されているので、掃除及び修理が容易である。
【００６５】
また、本発明に係るコーヒー注出装置は、温水が相対的に上側に位置する上部ピストン部から下側に位置する下部ピストンに噴射される構造を有するので、上部ピストン部の下面にコーヒー残留物が付くことが防止され、下部ピストンの上面に残るコーヒー残留物はホッパーに設けられた除去部材により除去される。このように、コーヒー残留物をすっかり除去することができるので、コーヒー液の注出が円滑になり、上部ピストン部と下部ピストン間を別途に掃除することが不要である。
【図面の簡単な説明】
【図１】本発明に係るコーヒー注出装置が適用されるコーヒーマシンを示す概略図である。
【図２】本発明に係るコーヒーマシン用コーヒー注出装置を示す分解斜視図である。
【図３】図２に示すコーヒー注出装置の断面図である。
【図４】図２に示すコーヒー注出装置の要部斜視図である。
【図５】図２に示すコーヒー注出装置の上部ピストン部の断面図である。
【図６】図２に示すコーヒー注出装置の下部ピストンの断面図である。
【図７】図２に示すコーヒー注出装置のシリンダ部が前方に回動した状態を示す断面図である。
【図８】図２に示すコーヒー注出装置の上部ピストン部が圧縮する状態を示す断面図である。
【図９】図２に示すコーヒー注出装置の下部ピストンが上昇した状態を示す断面図である。
【図１０】図２に示すコーヒー注出装置のシリンダ部が後方に回動した状態を示す断面図である。
【符号の説明】
１０  コーヒー注出装置
２０  コーヒー貯蔵部
３０  温水供給部
４０  コーヒー供給管
５０  温水供給管
１１０  ケース
１２０  ホッパー
１３０  上部ピストン部
１４０  下部ピストン
１５０  シリンダ部
１５１  シリンダ
２１０、２２０  カム部材
２３０、２４０、２５０  リンク部材
３１０  駆動装置
【図１】
2004275712.tif 000003
【図２】
2004275712.tif 000004
【図３】
2004275712.tif 000005
【図４】
2004275712.tif 000006
【図５】
2004275712.tif 000007
【図６】
2004275712.tif 000008
【図７】
2004275712.tif 000009
【図８】
2004275712.tif 000010
【図９】
2004275712.tif 000011
【図１０】
2004275712.tif 000012